(57)【要約】【課題】過去に発生したイベント関連の詳細情報を容易に閲覧できるＷｅｂ監視端末を提供する。【解決手段】設備装置にネットワークを介して接続されて設備装置を監視するＷｅｂ監視端末であって、設備装置から収集した設備データ及び設備装置から送信されるイベントデータを蓄積し、イベントデータに関係する設備データである詳細情報をイベントデータに割り付けるために使用する割り付け情報を有するデータベースと、周期的に設備データを収集してデータベースに格納する設備データ収集手段、設備装置から送信されるイベントデータをデータベースに格納するイベント取得手段を有するデータ蓄積手段と、自動的にまたは使用者の指示により詳細情報をファイルに保存するファイル保存手段と、イベントデータに割り付けられた詳細情報を画面に表示する表示手段とを備えるように構成した。【選択図】図１
2008181211.tif 000002
【特許請求の範囲】
【請求項１】
設備装置にネットワークを介して接続されて上記設備装置を監視するＷｅｂ監視端末であって、
上記設備装置から収集した設備データ及び上記設備装置から送信されるイベントデータを蓄積し、上記イベントデータに関係する上記設備データである詳細情報を上記イベントデータに割り付けるために使用する割り付け情報を有するデータベースと、
周期的に上記設備データを収集して上記データベースに格納する設備データ収集手段、上記設備装置から送信されるイベントデータを上記データベースに格納するイベント取得手段を有するデータ蓄積手段と、
自動的にまたは使用者の指示により上記詳細情報をファイルに保存するファイル保存手段と、
上記イベントデータに割り付けられた上記詳細情報を画面に表示する表示手段とを備えたＷｅｂ監視端末。
【請求項２】
上記表示手段が、上記詳細情報をトレンドグラフ形式で表示することを特徴とする請求項１に記載のＷｅｂ監視端末。
【請求項３】
上記表示手段が、上記詳細情報がファイル保存されている場合はファイルに保存された上記詳細情報を表示し、上記詳細情報がファイルに保存されていない場合は現在までの過去の所定期間の上記詳細情報を表示するものであることを特徴とする請求項１に記載のＷｅｂ監視端末。
【請求項４】
上記ファイル保存手段が、上記表示手段が表示する上記詳細情報を使用者の指示によりファイルに保存することを特徴とする請求項１に記載のＷｅｂ監視端末。
【請求項５】
上記ファイル保存手段が、上記イベントデータに対して設定した自動保存条件が満たされた時に自動的に上記詳細情報をファイルに保存することを特徴とする請求項１に記載のＷｅｂ監視端末。
【請求項６】
上記データ蓄積手段が、上記割り付け情報を変更するイベント情報割付手段を有することを特徴とする請求項１に記載のＷｅｂ監視端末。
【請求項７】
上記データ蓄積手段が、上記自動保存条件を変更する自動保存条件設定変更手段を有することを特徴とする請求項１に記載のＷｅｂ監視端末。
【請求項８】
上記データ蓄積手段が、上記Ｗｅｂ監視端末の使用者がメンテナンス権限を有するかどうかを認証するユーザ認証手段を備え、メンテナンス権限を有する使用者によってメンテナンスを行うことを特徴とする請求項６または請求項７に記載のＷｅｂ監視端末。
【請求項９】
メンテナンス履歴を表示する手段を備えたことを特徴とする請求項６または請求項７に記載のＷｅｂ監視端末。
【請求項１０】
上記イベントデータを一覧表示する手段と、
一覧表示された上記イベントデータを選択することで、選択された上記イベントデータに割り付けられた上記詳細情報を表示する手段とを備えたことを特徴とする請求項１に記載のＷｅｂ監視端末。
【請求項１１】
上記設備装置の現在状態をグラフィック表示する手段と、
グラフィック表示された上記設備装置を選択することで、選択された上記設備装置が関係する最新の上記詳細情報を表示する手段を備えたことを特徴とする請求項１に記載のＷｅｂ監視端末。
【発明の詳細な説明】
【技術分野】
【０００１】
この発明は、イベントデータの詳細管理機能を備えたＷｅｂ監視システムに用いるＷｅｂ監視端末に関するものである。
【背景技術】
【０００２】
従来の監視システムにおいては、イベントデータとともに表示したい設備データ情報を予め割り付けておき、イベントが発生した時に、ユーザ操作によりイベント情報に割り付けられた設備データ情報の値を表示し、更にイベント発生時点の設備データ情報の値を記録保持する機能であった（例えば、特許文献１参照）。
【０００３】
【特許文献１】特開平９−１９６７１４号公報
【発明の開示】
【発明が解決しようとする課題】
【０００４】
従来のイベントデータの表示、保存される情報は、特許文献１のようにイベントの発生時点の情報のみのため、イベント発生の過程やイベント発生原因の検証には情報として不足であり、発生前後の情報をユーザが手作業によって監視システムの別画面（トレンドグラフ画面等）を参照する必要があった。
また、システムのデータ保存期間によっては上記機能を用いても過去のデータは参照できなくなり、イベントが発生した直後に作業する必要があったため、データを参照する上で時間的な制約があったという問題点があった。
【０００５】
この発明は、上記のような課題を解決するためになされたものであり、イベントデータの詳細管理が可能なＷｅｂ監視端末を得ることを目的とする。
【課題を解決するための手段】
【０００６】
この発明に係わるＷｅｂ監視端末は、設備装置にネットワークを介して接続されて上記設備装置を監視するＷｅｂ監視端末であって、上記設備装置から収集した設備データ及び上記設備装置から送信されるイベントデータを蓄積し、上記イベントデータに関係する上記設備データである詳細情報を上記イベントデータに割り付けるために使用する割り付け情報を有するデータベースと、周期的に上記設備データを収集して上記データベースに格納する設備データ収集手段、上記設備装置から送信されるイベントデータを上記データベースに格納するイベント取得手段を有するデータ蓄積手段と、自動的にまたは使用者の指示により上記詳細情報をファイルに保存するファイル保存手段と、上記イベントデータに割り付けられた上記詳細情報を画面に表示する表示手段とを備えたものである。
【発明の効果】
【０００７】
この発明のＷｅｂ監視端末によれば、過去に発生したイベントデータの詳細情報を参照することが可能となり、設備管理者（ユーザ）の作業効率を向上させることが可能となる。
【発明を実施するための最良の形態】
【０００８】
実施の形態１．
以下、この発明の実施の形態１を図１に基づいて説明する。図１は、Ｗｅｂ監視システムの構成図であり、図１において、Ｗｅｂ監視端末１は、ネットワーク２を介してシーケンサ３と接続され、シーケンサ３は、監視対象設備（設備装置）４と接続されている。シーケンサ３は、監視対象設備４（ポンプ所等）に設置されたポンプ等の状態や水位計の値を取得する機器である。Ｗｅｂ監視端末１は、シーケンサ３経由で監視対象設備４の設備データを収集し、データベース１３へ蓄積するデータ蓄積機能１２、データを保存しておくデータベース１３、保存された設備データを画面表示するＷｅｂ監視画面１１から主に構成されている。ここで、設備データとは、監視対象設備４に設置されたポンプ等の現在の運転／停止、故障状態、及び、水位計の水位の値を示すデータを言う。なお、図１ではＷｅｂ監視端末１がネットワーク２に１台のみ接続された状態を示しているが、複数台の端末装置を接続して用いることが可能であることは言うまでもない。
【０００９】
Ｗｅｂ監視画面（表示手段）１１は、イベントデータ（監視対象設備４に設置されたポンプ等が運転／停止、故障した日時を、機器の運転／停止状態や故障状態とともにＷｅｂ監視端末１に蓄積しているデータ）を一覧表示するイベント履歴表示画面１１１（画面例：図２）、監視対象設備４の現在の状態をグラフィック表示するグラフィック画面１１２（画面例：図３）、イベントデータの詳細表示を行うイベントデータ詳細表示画面１１３（画面例：図４）を表示している。このＷｅｂ監視画面１１において、データベース１３内のデータおよび後述するデータ蓄積機能１２により収集されたデータを表示する表示機能（表示手段）を、本発明のＷｅｂ監視システムは備えている。
【００１０】
データ蓄積機能１２は、監視対象設備４からのイベント（監視対象設備４に設置されたポンプ等が運転／停止、故障した時に送信される運転／停止、故障情報と日時情報）をシーケンサ３経由で取得するイベント取得機能（イベント取得手段）１２１、監視対象設備４の設備データをシーケンサ３経由で収集する設備データ収集機能（設備データ収集手段）１２２とイベントデータの詳細情報（該当イベントデータとそれに関連する設備データを一つに纏めた情報）をファイル保存するイベントデータ詳細情報ファイル保存機能（ファイル保存手段）１２３から構成されている。このデータ蓄積機能１２において、監視対象設備４において発生したイベントに関連する各種項目に対し、データベース１３に蓄積されたデータを割り付け、詳細情報として収集するように構成されている。
【００１１】
また、Ｗｅｂ端末装置１には上述したようにデータベース１３が設けられており、このデータベース１３に、割り付け情報１３１（詳細については後述する。）、イベントデータ１３２、設備データ１３３が保存されている。
なお、Ｗｅｂ監視画面１１は、イベントデータ関連の詳細情報がファイル保存されている場合は、ファイルに保存された詳細情報を表示し、詳細情報がファイル保存されていない場合は現在までの過去の所定期間の詳細情報を表示する。
【００１２】
次に、発明のＷｅｂ監視システムの動作について、図５を用いて説明する。
図５（ａ）のフローチャートに示すように、Ｗｅｂ監視端末１は、データ蓄積機能１２の設備データ収集機能１２２により定周期に監視対象設備４の設備データをシーケンサ３経由で収集し（ＳＴ−１１）、次に、設備データ収集機能１２２は、収集した設備データをデータベース１３（設備データ１３３）に蓄積する（ＳＴ−１２）。定周期でＳＴ−１１とＳＴ−１２のステップが繰り返し実行され、設備データの収集が行われる。ここで、設備データとして監視対象設備４から収集する情報を設備データ情報とする。
【００１３】
また、図５（ｂ）に示すように、シーケンサ３より、Ｗｅｂ監視端末１側に、監視対象設備４のイベント情報（イベントとして監視対象設備４から送信される情報）をリアルタイムに送信し（ＳＴ−２１）、イベント取得機能１２１は、取得したイベント情報をデータベース１３（イベントデータ１３２）に蓄積することで、イベントデータの収集が行われる。
【００１４】
データベース１３に蓄積されたイベントデータ１３２は、Ｗｅｂ監視画面１１のイベント履歴表示画面１１１（画面例：図２）にて一覧表示し、定周期に収集した監視対象設備４の設備データ１３３をグラフィック画面１１２（画面例：図３）に表示する。画面例である図３には、河川Ａ、河川Ａにつながれた取水弁１、２が取り付けられた取水管、取水管を経由して水が溜められる調整池、調整池に配置されたポンプ１〜４、ポンプ１〜４に繋がれた調整池の水を河川Ａに排出するための排水管が、図形的に示されており、ポンプ１〜４は、運転／停止、故障の状態を、ポンプを示すアイコン（項目）の色や模様で区別することが可能となっている。
【００１５】
更に、イベント履歴表示画面１１１（画面例：図２）で表示されたイベントデータ（項目）やグラフィック画面１１２（画面例：図３）に表示されたシンボル（項目、あるいはアイコン。監視対象設備４に設置されたポンプ等の絵）を選択してクリック（項目選択）することで、データベース１３（割り付け情報１３１、イベントデータ１３２、設備データ１３３）からデータを取得し、選択項目に割り付けられたイベントデータの最新の詳細情報をイベントデータ詳細情報表示画面１１３（画面例：図４）に表示する。イベントデータ詳細情報表示画面１１３（画面例：図４）では、イベント情報に割り付けられた設備データ情報の値をトレンドグラフ（折れ線グラフ）形式でリアルタイムに表示更新し、更にグラフィック画面（画面例：図３）をリアルタイムに表示更新する。
【００１６】
上述したように、データベース１３には、割り付け情報１３１が保存されており、この割り付け情報１３１は、イベント情報と設備データ情報を関連付けた定義に相当している。割り付け情報１３１の具体例としては、ポンプの運転／停止と河川の水位を割り付ける、また別の例としては、ポンプの故障と河川の水位を割り付ける等、監視対象設備４の種別や地理条件に応じた割り付けが適用される。
【００１７】
更に、図５（ｃ）に示すように、イベントデータ詳細情報表示画面１１３（画面例：図４）から端末使用者の指示により、保存ボタンをクリック（ＳＴ−３１）することで、データ蓄積機能１２のイベントデータ詳細情報ファイル保存機能１２３により現在表示しているイベントデータの詳細情報をエクセル（ＸＬＳ）ファイル１４として保存する（ＳＴ−３２）。
【００１８】
以上のように、本発明によれば、イベント情報に関連する設備データ情報は、予め割り付けられており、発生したイベントに関連する設備データ情報をユーザがその都度洗い出す作業は不要で、更に、洗い出した設備データ情報の値を参照するために複数の別画面を表示する作業も不要で、作業効率が向上する。また、表示した設備データを保存することで、関連する設備データをユーザが手動で保存したりメモ書きしたりする作業工程の削減、書き取り漏れや書き取りミスをも抑止でき、イベント発生過程やイベント発生原因の検証にも役立つとともに、報告書等の作成にも便利である。更に、イベントデータの詳細情報を恒久的に保持可能で、過去のイベントデータの詳細情報を必要に応じて参照することができるようになる。
【００１９】
実施の形態２．
上述の実施の形態１では、Ｗｅｂ監視画面１１のイベントデータ詳細情報表示画面１１３（画面例：図４）に表示されたイベントデータの詳細情報を保存する場合について述べたが、図６のＷｅｂ監視端末１の構成図に示すようにデータ蓄積機能１２にイベントデータ詳細情報ファイル自動保存機能１２４を設け、データ蓄積機能１２のイベント取得機能１２１がイベントを取得した時（設定した条件を満たした場合に相当する。）にイベントデータ詳細情報ファイル自動保存機能１２４を呼び出し、イベントデータの詳細情報の自動保存を可能とすることで、イベント発生時にユーザは、Ｗｅｂ監視端末１の前にいなくても、イベントデータの詳細情報の保存が可能となり、イベントデータの詳細情報の保存漏れ防止やオペレータの人件費削減が可能となる。
【００２０】
実施の形態３．
なお、上述の実施の形態１では、Ｗｅｂ監視画面１１にイベントデータ詳細情報表示画面１１３（画面例：図４）を設け、イベント情報に割り付けられた設備データ情報の値を表示する場合について述べたが、図７のＷｅｂ監視端末１の構成図に示すように、Ｗｅｂ監視画面１１にイベント情報割り付けメンテナンス画面１１４（画面例：図８）を設け、更にデータ蓄積機能１２にイベント情報割り付け機能１２５を設け、イベント情報割り付けメンテナンス画面１１４（画面例：図８）からイベント情報割り付け機能（イベント情報割付手段）１２５経由でデータベース１３の割り付け情報１３１のオンライン変更（割り付けメンテナンス）を可能とするとともに、変更後の条件を保存できるように構成する。
これによって、イベントに関連する各種項目に対し、データを割り付ける際の割り付け条件に変更があった場合でも、システム再起動なしに変更を行うことができるとともに、変更後の割り付けメンテナンスにおける関連情報（条件）を保存することが可能となる。
【００２１】
実施の形態４．
なお、上述の実施の形態２では、データ蓄積機能１２にイベントデータ詳細情報ファイル自動保存機能１２４を設け、データ蓄積機能１２のイベント取得機能がイベントを取得した時にイベントデータ詳細情報ファイル自動保存機能１２４を呼び出しイベントデータの詳細情報の自動保存を可能とする場合について述べたが、図９に示すように、Ｗｅｂ監視画面１１に自動保存条件メンテナンス画面１１５（画面例：図１０）を設け、更にデータ蓄積機能１２に自動保存条件メンテナンス機能（自動保存条件設定変更手段）１２６を設け、自動保存条件メンテナンス画面１１５（画面例：図１０）から自動保存条件メンテナンス機能１２６経由でデータベース１３の自動保存情報１３５の設定変更を可能とする（設定変更メンテナンスを行う）とともに、設定変更メンテナンスの変更事項を含む情報を新たに保存する機能を備えたシステム構成とする。このように構成することで、自動保存条件を変更したい場合でもユーザによる変更作業が容易に行え、メンテナンス業者に依頼する必要がなくなり、メンテナンス費用を削減することができるという効果がある。
【００２２】
実施の形態５．
なお、上述の実施の形態３、４では、Ｗｅｂ監視画面１１にイベント情報割り付けメンテナンス画面１１４（画面例：図８）、自動保存条件メンテナンス画面１１５（画面例：図１０）を設け、割り付け情報や、自動保存条件を変更する場合について述べたが、図１１に示すように、Ｗｅｂ監視画面１１にログイン画面１１９（画面例：図１２）、データ蓄積機能１２にユーザ認証機能（ユーザ認証手段）１２７を設け、Ｗｅｂ監視端末１を使用するユーザが、メンテナンス可能なユーザであるか、不可能なユーザであるかを識別（ユーザのメンテナンス権限の有無を識別）し、メンテナンス可能なユーザのみイベント情報割り付けメンテナンス画面１１４（画面例：図８）、自動保存条件メンテナンス画面１１５（画面例：図１０）での設定変更（設定変更メンテナンス）を可能とすることで、知識のないユーザによる変更ミスをなくすことが可能となる。
【００２３】
ユーザの識別は次のような方法により行う。データベース１３（ユーザ権限１３７）には、ユーザＩＤ、パスワード、ユーザ権限を１レコードとして、Ｗｅｂ監視画面１１を参照するユーザ毎に複数レコード登録しておく。ユーザは、Ｗｅｂ監視画面１１起動後に、スタート画面として表示されるログイン画面１１９（画面例：図１２）にてユーザＩＤ、パスワードを入力し、ログインする。ユーザ認証機能１２７は、データベース１３（ユーザ権限１３７）に登録されている、ユーザＩＤ、パスワードと一致したユーザのみＷｅｂ監視画面１１の閲覧を許可する。
【００２４】
イベント情報割り付けメンテナンス画面１１４（画面例：図８）、自動保存条件メンテナンス画面１１５（画面例：図１０）を表示時、ユーザ認証機能１２７はＷｅｂ監視画面１１から渡されたユーザＩＤを元にデータベース１３（ユーザ権限１３７）からユーザ権限を取得し、メンテナンス可能なユーザかどうかを識別し、メンテナンス可能なユーザのみイベント情報割り付けメンテナンス画面１１４（画面例：図８）、自動保存条件メンテナンス画面１１５（画面例：図１０）の使用を許可するように構成する。
このように、メンテナンス権限を有するユーザによってのみ、メンテナンスを実施するように構成したことで、メンテナンスにおける設定ミス等を回避でき、安定した監視状態を維持することができる。
【００２５】
実施の形態６．
上述の実施の形態３、４では、Ｗｅｂ監視画面１１にイベント情報割り付けメンテナンス画面１１４（画面例：図８）、自動保存条件メンテナンス画面１１５（画面例：図１０）を設け、割り付け情報や自動保存条件を変更する場合について述べたが、図１３に示すように、まず、データ蓄積機能１２のイベント情報割り付け機能１２５から割り付け情報の変更履歴をデータベース１３の割り付け情報変更履歴データ１３４に書き込み、自動保存条件メンテナンス機能１２６から自動保存情報の変更履歴をデータベース１３の自動保存条件変更履歴データ１３６に書き込む機能（メンテナンス履歴を表示する手段）を設ける。
【００２６】
更に、データ蓄積機能１２にメンテナンス履歴表示機能１２８を設け、データベース１３の割り付け情報変更履歴データ１３４と自動保存情報変更履歴データ１３６から履歴データを取得する機能を設ける。更に、Ｗｅｂ監視画面１１にメンテナンス履歴表示機能１２８経由でメンテナンス履歴データを取得し、メンテナンス履歴表示画面１１６にて一覧表示する機能を設ける。Ｗｅｂ監視画面１１内のメンテナンス履歴表示画面１１６の画面例を図１４に示す。
本機能により、メンテナンス履歴の一覧表示が可能となり、変更情報の管理が容易となるという効果がある。
【００２７】
実施の形態７．
なお、上述の実施の形態１では、Ｗｅｂ監視画面１１のイベントデータ詳細情報表示画面１１３（画面例：図４）に表示された情報を保存する場合について述べたが、図１５に示すように、Ｗｅｂ監視画面１１に保存情報一覧表示画面１１７（画面例：図１６）を、データ蓄積機能１２に保存情報取得機能１２９を設ける。
【００２８】
実施の形態２で示したＷｅｂ監視画面１１のイベントデータ詳細情報表示画面１１３（画面例：図４）にて、各ユーザが保存したイベントデータ詳細情報ファイルがＷｅｂ監視端末１の指定フォルダに保存される。
保存情報一覧表示画面１１７（画面例：図１６）は、画面表示時、保存情報取得機能１２９を呼び出し、Ｗｅｂ監視端末１に保存されている全てのイベントデータ詳細情報ファイルを読み込み、一覧情報を取得し、その内容を保存情報一覧表示画面１１７（画面例：図１６）に表示する。ここで、図１６に示すように、一覧表示されるのはイベントデータである。
【００２９】
本機能がなければ、別のユーザが保存したイベントデータ詳細情報ファイルの存在さえ不明で、Ｗｅｂ監視端末１の指定フォルダに保存されているイベントデータ詳細情報ファイルを直接参照すること等が必要となり、多大なる時間を要することになる。また、個々のユーザが保存したイベントデータ詳細情報ファイルの管理を、ある一人の管理者が手作業で管理することは困難な作業であるが、本機能を有することで、本システムにて全てのユーザが保存したファイルの一覧表示、及びファイルの削除が可能となり、管理者がシステムを通じてイベントデータ詳細情報ファイルの一元管理が可能となる。
【００３０】
実施の形態８．
なお、上述の実施の形態７では、Ｗｅｂ監視端末１内に保存したイベントデータ詳細情報ファイルの一覧を表示する場合について述べたが、図１７に示すように、Ｗｅｂ監視端末１１に保存情報詳細表示画面１１８（画面例：図１８）を、データ蓄積機能１２に保存情報取得機能１２９を設け、保存情報一覧表示画面１１７（画面例：図１６）の詳細ボタンを押下することにより、保存情報取得機能１２９経由でＷｅｂ監視端末１内に保存したイベントデータ詳細情報ファイル詳細内容の表示を可能とする。つまり、選択したイベントデータの任意の項目を選択する（閲覧したいイベントデータを選択して、詳細ボタンをクリックする）ことで、選択されたイベントデータに割り付けられた詳細情報を簡単に閲覧することが可能となる。
【００３１】
本機能がなければ、ユーザ自身が保存したイベントデータ詳細情報ファイルは自身が保存後管理することにより、当該ファイルを直接参照することは可能であるが、別のユーザが保存したイベント情報ファイルの詳細内容を参照するには、Ｗｅｂ監視端末１の指定フォルダに保存されているイベント情報ファイルを直接参照する等が必要で、多数のイベントデータ詳細情報ファイルの中から参照したいイベントデータ詳細情報ファイルの捜索をしなくてはならず困難を伴う。しかし、本機能を有することで、別のユーザによって保存されたイベントデータ詳細情報ファイルの詳細内容をも参照することが可能となり、イベントデータ詳細情報ファイルの内容のユーザ間での完全共有化を図ることができるという効果がある。
【図面の簡単な説明】
【００３２】
【図１】この発明の実施の形態１におけるＷｅｂ監視システムの構成図である。
【図２】この発明の実施の形態１における画面例の、イベントデータ一覧表示を示す図である。
【図３】この発明の実施の形態１における画面例のグラフィック図である。
【図４】この発明の実施の形態１における画面例の、イベントデータ詳細情報表示画面を示す図である。
【図５】この発明の実施の形態１におけるフローチャートを示す図である。
【図６】この発明の実施の形態２におけるＷｅｂ監視端末の構成図である。
【図７】この発明の実施の形態３におけるＷｅｂ監視端末の構成図である。
【図８】この発明の実施の形態３における画面例の、イベント情報割り付けメンテナンス画面を示す図である。
【図９】この発明の実施の形態４におけるＷｅｂ監視端末の構成図である。
【００３３】
【図１０】この発明の実施の形態４における画面例の、自動保存条件メンテナンス画面を示す図である。
【図１１】この発明の実施の形態５におけるＷｅｂ監視端末の構成図である。
【図１２】この発明の実施の形態５における画面例の、ログイン画面を示す図である。
【図１３】この発明の実施の形態６におけるＷｅｂ監視端末の構成図である。
【図１４】この発明の実施の形態６における画面例の、メンテナンス履歴表示画面を示す図である。
【図１５】この発明の実施の形態７におけるＷｅｂ監視端末の構成図である。
【図１６】この発明の実施の形態７における画面例の、保存情報一覧表示画面を示す図である。
【図１７】この発明の実施の形態８におけるＷｅｂ監視端末の構成図である。
【図１８】この発明の実施の形態８における画面例の、保存情報詳細表示画面を示す図である。
【符号の説明】
【００３４】
１  Ｗｅｂ監視端末                      ２  ネットワーク
３  シーケンサ                          ４  監視対象設備（設備装置）
１１  Ｗｅｂ監視画面                    １２  データ蓄積機能
１３  データベース                      １４  イベントデータ詳細情報ファイル
１１１  イベント履歴表示画面            １１２  グラフィック画面
１１３  イベントデータ詳細表示画面
１１４  イベント情報割り付けメンテナンス画面
１１５  自動保存条件メンテナンス画面    １１６  メンテナンス履歴表示画面
１１７  保存情報一覧表示画面            １１８  保存情報詳細表示画面
１１９  ログイン画面                    １２１  イベント取得機能
１２２  設備データ収集機能              １２３  イベントデータ詳細情報
１２４  イベントデータ詳細ファイル自動保存機能
１２５  イベント情報割り付け機能        １２６  自動保存条件メンテナンス機能
１２７  ユーザ認証機能                  １２８  メンテナンス履歴表示機能
１２９  保存情報取得機能                １３１  割り付け情報
１３２  イベントデータ                  １３３  設備データ
１３４  割り付け情報変更履歴データ      １３５  自動保存条件
１３６  自動保存情報変更履歴データ      １３７  ユーザ権限情報。
【図１】
2008181211.tif 000003
【図２】
2008181211.tif 000004
【図３】
2008181211.tif 000005
【図４】
2008181211.tif 000006
【図５】
2008181211.tif 000007
【図６】
2008181211.tif 000008
【図７】
2008181211.tif 000009
【図８】
2008181211.tif 000010
【図９】
2008181211.tif 000011
【図１０】
2008181211.tif 000012
【図１１】
2008181211.tif 000013
【図１２】
2008181211.tif 000014
【図１３】
2008181211.tif 000015
【図１４】
2008181211.tif 000016
【図１５】
2008181211.tif 000017
【図１６】
2008181211.tif 000018
【図１７】
2008181211.tif 000019
【図１８】
2008181211.tif 000020